(57)【要約】  ユーザ装置（ＵＥ）によって、周波数ホッピングを用いるリソース要素（ＲＥ）マッピングを実行することを含む無線通信方法。複数のコードブロック（ＣＢ）は、第１サブスロットの第１サブスロット長と第２サブスロットの第２サブスロット長との比にしたがって、前記第１サブスロット及び前記第２サブスロットにおけるＲＥにマッピングされる。前記第１サブスロット長及び前記第２サブスロット長は、物理上りリンク共有チャネル（ＰＵＳＣＨ）を多重可能な直交周波数多重分割（ＯＦＤＭ）シンボルの数である。前記第１サブスロット長及び前記第２サブスロット長は、ＰＵＳＣＨを多重可能なＲＥの数である。複数のＣＢのそれぞれは、同じＯＦＤＭシンボルにおけるＲＥに連続的にマッピングされる。異なるＣＢは、同じＯＦＤＭシンボルにおけるＲＥにマッピングされる。
2020535763.tif 000002
【特許請求の範囲】
【請求項１】
ユーザ装置（ＵＥ）によって、周波数ホッピングを用いるリソース要素（ＲＥ）マッピングを実行するステップを有し、
第１サブスロットの第１サブスロット長と第２サブスロットの第２サブスロット長との比にしたがって、複数のコードブロック（ＣＢ）が、前記第１サブスロット及び前記第２サブスロットにおけるＲＥにマッピングされる無線通信方法。
【請求項２】
前記第１サブスロット長及び前記第２サブスロット長は、物理上りリンク共有チャネル（ＰＵＳＣＨ）を多重可能な直交周波数分割多重（ＯＦＤＭ）シンボルの数である請求項１に記載の無線通信方法。
【請求項３】
前記第１サブスロット長及び前記第２サブスロット長は、ＰＵＳＣＨを多重可能なＲＥの数である請求項１に記載の無線通信方法。
【請求項４】
前記複数のＣＢのそれぞれは、同じＯＦＤＭシンボルにおける前記ＲＥに連続的にマッピングされる請求項１に記載の無線通信方法。
【請求項５】
異なるＣＢは、同じＯＦＤＭシンボルにおける前記ＲＥにマッピングされる請求項１に記載の無線通信方法。
【請求項６】
周波数ホッピングを用いるリソース要素（ＲＥ）マッピングを実行する制御部を有し、
第１サブスロットの第１サブスロット長と第２サブスロットの第２サブスロット長との比にしたがって、複数のコードブロック（ＣＢ）が、前記第１サブスロット及び前記第２サブスロットにおけるＲＥにマッピングされるユーザ装置（ＵＥ）。
【請求項７】
前記第１サブスロット長及び前記第２サブスロット長は、物理上りリンク共有チャネル（ＰＵＳＣＨ）を多重可能な直交周波数分割多重（ＯＦＤＭ）シンボルの数である請求項６に記載のＵＥ。
【請求項８】
前記第１サブスロット長及び前記第２サブスロット長は、ＰＵＳＣＨを多重可能なＲＥの数である請求項６に記載のＵＥ。
【請求項９】
前記複数のＣＢのそれぞれは、同じＯＦＤＭシンボルにおける前記ＲＥに連続的にマッピングされる請求項６に記載のＵＥ。
【請求項１０】
異なるＣＢは、同じＯＦＤＭシンボルにおける前記ＲＥにマッピングされる請求項６に記載のＵＥ。
【発明の詳細な説明】
【技術分野】
【０００１】
本開示の一以上の実施形態は、リソース要素（Resource  Element（ＲＥ））マッピング方式の無線通信方法、および、ＲＥマッピングを実行するユーザ装置に関する。
【背景技術】
【０００２】
Long  Term  Evolution（ＬＴＥ）／LTE‐Advanced（ＬＴＥ−Ａ）において、送信信号は、複数のコードワード（codeword（ＣＷ））に分割され、各ＣＷは、複数のコードブロック（codeblock（ＣＢ））でさらに構成される。ＣＷは、再送（Hybrid  ARQ（ＨＡＲＱ））の単位である。ＬＴＥ／ＬＴＥ−Ａパケット（ＣＷマッピング）は、多入力多出力（Multi  Input  Multi  Output（ＭＩＭＯ））の空間ダイバーシティゲインを達成するために設計されてきた。具体的には、変調信号系列は、ＭＩＭＯレイヤ、サブキャリア（周波数）、および、直交周波数分割多重（Orthogonal  Frequency  Division  Multiplexing（ＯＦＤＭ））シンボル（時間）、の順にマッピングされる。
【０００３】
New  Radio（ＮＲ）（第５世代（５Ｇ））において、周波数ダイバーシティゲインを達成するために、スロット内周波数ホッピングが導入されている。上りリンクデータチャネル（Physical  Uplink  Shared  Channel（ＰＵＳＣＨ））に対するスロット内周波数ホッピングにおいて、１つのスロットが異なるリソースブロック（Resource  Block（ＲＢ））に分割され、ＣＢが異なるＲＢにおけるホッピングリソースにまたがってマッピングされる。図１Ａ−図１Ｃを参照して、スロット内周波数ホッピングを用いるＰＵＳＣＨ送信のリソース要素（Resource  Element（ＲＥ））マッピングの一例を、以下において説明する。
【０００４】
図１Ａの一例において、ｎビットの長さをもつ２つのＣＢ＃０及び＃１がある。図１Ａの一例において、長さ「ｎ」は「Ｅ」ビットである。図１Ａにおいて、ビット数（例えば、１、２、３、４、５、…、Ｅ）は、ＲＥマッピングの手順を説明するために、ＣＢ＃０及び＃１のそれぞれにおいてラベル付けされている。
【０００５】
図１Ｂにおいて、横軸は時間（ＯＦＤＭシンボル）軸を表し、縦軸は周波数（サブキャリア）軸を表し、各ブロックはＲＥを表す。図１Ｂにおいて、１つのスロットの時間軸方向におけるＯＦＤＭシンボル数は１４である。ＬＴＥ／ＬＴＥ−Ａ規格などの従来技術におけるスロット内周波数ホッピングでは、１つのスロットが２つのサブスロット（第１サブスロット及び第２サブスロット）に分割され、第１サブスロット及び第２サブスロットのＯＦＤＭシンボル長は等しい。図１Ｂの一例において、第１サブスロット及び第２サブスロットのそれぞれは、７つのＯＦＤＭシンボルを有する。図７Ｂにおいて、各ＲＥ上にラベル付けされた数は、図１Ａにおけるビット数、および、ＣＢ＃０及び＃１のそれぞれにマッピングされたＲＥの順序を表す。図１Ｂに示すように、ＣＢ＃０のＲＥは、異なるサブスロットへのホッピングを伴って、周波数リソース、時間リソースの順序でマッピングされ、次いで、ＣＢ＃１のＲＥは、ＣＢ＃０のＲＥマッピングと同様の方法でマッピングされる。
【０００６】
スロット内周波数ホッピングを用いるＲＥマッピングの結果、図１Ｃに示すように、第１サブスロット及び第２サブスロットにおけるＲＥに用いられる周波数リソースは互いに異なる。
【０００７】
したがって、従来技術におけるスロット内周波数ホッピングを用いるＰＵＳＣＨ送信のＲＥマッピングにおいて、１つのスロットが複数のサブスロットに分割され、各サブスロットのマッピングＲＥ数は等しくなる（又は、少なくとも類似する）。
【０００８】
しかしながら、各サブスロットのＯＦＤＭシンボル長又は各サブスロットにおけるＲＥ数が異なり、上記従来のスロット内周波数ホッピングを用いるＲＥマッピング方法が、複数のＣＢに適用される場合、複数のＣＢの全部又は一部は、複数のサブスロットの１つのみにマップされうる。
【０００９】
例えば、図２Ａ及び図２Ｂに示すように、第１サブスロットのＯＦＤＭシンボル長は、第２サブスロットのＯＦＤＭシンボル長と異なる。図２Ａ及び図２Ｂの例において、第１サブスロット及び第２サブスロットは、それぞれ１０及び４ＯＦＤＭシンボルを有する。
【００１０】
図２Ａに示すように、図１Ｂ及び図１Ｃにおける従来の方法に基づいてＲＥマッピングが実行される場合にのみ、ＣＢ＃０がは、第１サブスロットにおけるＲＥにマッピングされる。
【００１１】
図２Ｂに示すように、ＣＷ＃０（ＣＷ＃１）が、第１サブスロットにおける特定のＯＦＤＭシンボル内のＲＥにマッピングされ、次いで、第２サブスロットにおける特定のＯＦＤＭシンボル内のＲＥにマッピングされる場合、ＣＢ＃２は、第１サブスロットにおけるＲＥにのみマッピングされうる。
【００１２】
その結果、サブスロットの１つのみにおけるＲＥにマッピングされたＣＢの場合、周波数ホッピングを用いた周波数ダイバーシティゲインは達成されず、ＣＢのダイバーシティゲイン（送信品質）の特性は低下する。さらに、複数のＣＢにおけるダイバーシティゲインの特性にばらつきがある場合、ＡＣＫ／ＮＡＣＫがトランスポートブロック（ＴＢ）又はコードブロックグループ（ＣＢＧ）ごとに送信されるＮＲシステムにおいて、複数のＣＢの特性は、複数のＣＢのうちの１つの劣化した特性と整合しうる。
【００１３】
しかしながら、各サブスロットのＯＦＤＭシンボル長又は各サブスロットにおけるＲＥ数が異なる場合、スロット内周波数ホッピングを用いるＲＥマッピングがどのように実行されるかについては、まだ決定されていない。
【先行技術文献】
【非特許文献】
【００１４】
【非特許文献１】3GPP,  TS  36.211  V14.4.0
【非特許文献２】3GPP,  TS  36.213  V14.4.0
【発明の概要】
【００１５】
本開示の一以上の実施形態は、ユーザ装置（ＵＥ）によって、周波数ホッピングを用いるリソース要素（ＲＥ）マッピングを実行することを含む無線通信方法に関する。複数のコードブロック（ＣＢ）は、第１サブスロットの第１サブスロット長と第２サブスロットの第２サブスロット長との比にしたがって、前記第１サブスロット及び前記第２サブスロットにおけるＲＥにマッピングされる。前記第１サブスロット長及び前記第２サブスロット長は、物理上りリンク共有チャネル（ＰＵＳＣＨ）を多重可能な直交周波数多重分割（ＯＦＤＭ）シンボルの数である。前記第１サブスロット長及び前記第２サブスロット長は、ＰＵＳＣＨを多重可能なＲＥの数である。複数のＣＢのそれぞれは、同じＯＦＤＭシンボルにおけるＲＥに連続的にマッピングされる。異なるＣＢは、同じＯＦＤＭシンボルにおけるＲＥマッピングされる。
【００１６】
本開示の一以上の実施形態は、周波数ホッピングを用いるリソース要素（ＲＥ）マッピングを実行する制御部を含むユーザ装置（ＵＥ）に関する。複数のコードブロック（ＣＢ）は、第１サブスロットの第１サブスロット長と第２サブスロットの第２サブスロット長との比にしたがって、前記第１サブスロット及び前記第２サブスロットにおけるＲＥにマッピングされる。前記第１サブスロット長及び前記第２サブスロット長は、物理上りリンク共有チャネル（ＰＵＳＣＨ）を多重可能な直交周波数多重分割（ＯＦＤＭ）シンボル数である。前記第１サブスロット長及び前記第２サブスロット長は、ＰＵＳＣＨを多重可能なＲＥ数である。複数のＣＢのそれぞれは、同じＯＦＤＭシンボルにおけるＲＥに連続的にマッピングされる。異なるＣＢは、同じＯＦＤＭシンボルにおけるＲＥにマッピングされる。
【００１７】
本開示の他の実施形態及び利点は、本明細書及び図面から認識されるであろう。
【図面の簡単な説明】
【００１８】
【図１Ａ】従来技術による周波数ホッピングを用いるリソース要素（ＲＥ）マッピングの方法を示す図である。
【図１Ｂ】従来技術による周波数ホッピングを用いるリソース要素（ＲＥ）マッピングの方法を示す図である。
【図１Ｃ】従来技術による周波数ホッピングを用いるリソース要素（ＲＥ）マッピングの方法を示す図である。
【図２Ａ】従来技術による周波数ホッピングを用いるＲＥマッピングの方法を示す図である。
【図２Ｂ】従来技術による周波数ホッピングを用いるＲＥマッピングの方法を示す図である。
【図３】本開示の一以上の実施形態に係る無線通信システムの構成を示す図である。
【図４】本開示の一以上の実施形態に係るコードブロック（ＣＢ）分割を説明するための図である。
【図５Ａ】本開示の一以上の実施形態に係るサブスロット及びサブスロット長の構成の一例を説明するための図である。
【図５Ｂ】本開示の一以上の実施形態に係るサブスロット及びサブスロット長の構成の一例を説明するための図である。
【図６】本開示の一以上の実施形態に係るサブスロット長の他の例を示す図である。
【図７】本開示の第１の実施例の一以上の実施形態に係る周波数ホッピングを用いるＲＥマッピング方法を示す図である。
【図８】本開示の第２の実施例の一以上の実施形態に係る周波数ホッピングを用いるＲＥマッピング方法を示す図である。
【図９】本開示の第３の実施例の一以上の実施形態に係る周波数ホッピングを用いるＲＥマッピング方法を示す図である。
【図１０】本開示の一以上の実施形態に係るＲＥマッピングの動作例を示すフローチャートである。
【図１１】本開示の一以上の実施形態に係るＴＲＰの概略構成を示す。
【図１２】本開示の一以上の実施形態に係るＵＥの概略構成を示す。
【発明を実施するための形態】
【００１９】
以下、図面を参照して本発明の実施形態を詳細に説明する。本開示の実施形態においては、本開示のより完全な理解を提供するために、多数の特定の詳細が述べられている。しかしながら、これらの特定の詳細なしで本発明を実施できることは、当業者には明らかであろう。他の例においては、本発明を曖昧にすることを避けるために、周知の特徴は詳細に説明されていない。
【００２０】
図３は、本開示の一以上の実施形態に係る無線通信システム１を示す図である。無線通信システム１は、ユーザ装置（ＵＥ）１０、基地局（ＢＳ）及びコアネットワーク３０を含む。無線通信システム１は、ＮＲシステムであってもよい。無線通信システム１は、本明細書で説明される特定の構成に限定されず、ＬＴＥ／ＬＴＥ−Ａｄｖａｎｃｅｄ（ＬＴＥ−Ａ）システムなどの任意のタイプの無線通信システムであってもよい。
【００２１】
ＢＳ２０は、当該ＢＳ２０のセル内において、ＵＥ１０と、上りリンク（ＵＬ）及び下りリンク（ＤＬ）信号を通信してもよい。当該ＤＬ及びＵＬ信号は、制御情報及びユーザデータを含んでもよい。ＢＳ２０は、バックホールリンク３１を介してコアネットワーク３０と、ＤＬ及びＵＬ信号を通信してもよい。ＢＳ２０は、基地局（ＢＳ）と呼ばれてもよい。ＢＳ２０は、ｇＮｏｄｅＢ（ｇＮＢ）であってもよい。
【００２２】
ＢＳ２０は、アンテナと、隣接するＢＳ２０と通信するための通信インターフェース（例えば、Ｘ２インターフェース）と、コアネットワーク３０と通信するための通信インターフェース（例えば、Ｓ１インターフェース）と、ＵＥ１０との送受信信号を処理するプロセッサ又は回路などのＣＰＵ（Central  Processing  Unit）と、を含む。ＢＳ２０の動作は、プロセッサがメモリに格納されたデータ及びプログラムを処理又は実行することによって実装されてもよい。しかしながら、ＢＳ２０は、上述したハードウェア構成に限定されず、当業者によって理解されるような他の適切なハードウェア構成によって実現されてもよい。無線通信システム１のより広域なサービスエリアをカバーするために、多数のＢＳ２０を配置してもよい。
【００２３】
ＵＥ１０は、多入力多出力（Multi  Input  Multi  Output（ＭＩＭＯ））技術を用いて、制御情報及びユーザデータを含むＤＬ及びＵＬ信号を、ＢＳ２０と通信してもよい。ＵＥ１０は、移動局、スマートフォン、携帯電話、タブレット、モバイルルータ、または、ウェアラブルデバイスなどの無線通信機能を有する情報処理装置であってもよい。無線通信システム１は、一以上のＵＥ１０を含んでもよい。
【００２４】
ＵＥ１０は、プロセッサなどのＣＰＵと、ＲＡＭ（Random  Access  Memory）と、フラッシュメモリと、ＢＳ２０及びＵＥ１０との間で無線信号を送受信する無線通信装置と、を含んでもよい。例えば、以下に説明するＵＥ１０の動作は、ＣＰＵがメモリに格納されたデータ及びプログラムを処理又は実行することにより実装されてもよい。しかしながら、ＵＥ１０は、上述したハードウェア構成に限定されず、例えば、以下に説明する処理を実現する回路によって構成されてもよい。
【００２５】
本開示における一以上の実施形態において、ＵＥ１０は、送信データを分割することにより、コードワード（ＣＷ）を生成してもよい。ＣＷは、チャネル符号化プロセス後のデータストリームである。ＣＷは、ＨＡＲＱプロセスの下での再送信又はリンクアダプテーションの単位として用いられてもよい。さらに、図４に示すように、ＵＥ１０は、ＣＷを分割することにより一以上のコードブロック（ＣＢ）を生成してもよく、これは再送信単位として用いられてもよい。ＮＲシステムにおいて、ＵＥは、ＣＷごと（ＣＷレベルＨＡＲＱ）又はＣＢごと（ＣＢＧレベルＨＡＲＱ）にＨＡＲＱプロセスを実行してもよい。
【００２６】
生成したＣＢに基づいて、ＵＥ１０は、ＰＵＳＣＨ送信のために、複数のレイヤ、周波数リソース、および、時間リソースへのＲＥマッピングを実行してもよい。例えば、周波数リソースはサブキャリアであってもよく、時間リソースは、ＤＦＴ−Ｓｐｒｅａｄ−ＯＦＤＭシンボルなどの直交周波数分割多重（ＯＦＤＭ）シンボルであってもよい。伝送品質（ダイバーシティゲイン）は、複数のレイヤ、周波数リソース、および、時間リソースのマッピング順序に依存して異なってもよい。
【００２７】
本開示の一以上の実施形態によれば、ＰＵＳＣＨ送信において、周波数ホッピングを用いるＲＥマッピングは、複数のサブスロット長の比にしたがって実行されてもよい。周波数ホッピングでは、１つのスロットが複数のサブスロットに分割される。
【００２８】
図５Ａ及び図５Ｂは、本開示の一以上の実施形態に係るサブスロット及びサブスロット長の構成の一例を説明するための図である。
【００２９】
図５Ａ及び図５Ｂにおいて、横軸は時間（ＯＦＤＭシンボル）軸を表し、縦軸は周波数（サブキャリア）軸を表し、各ブロックはＲＥを表す。例えば、１つのスロットの時間軸方向のＯＦＤＭシンボル数は１４である。図５Ａ及び図５Ｂに示すように、１つのスロットは、周波数ホッピングを用いるＲＥマッピングにおいて、２つのサブスロット（第１サブスロット及び第２サブスロット）に分割される。
【００３０】
本開示の一以上の実施形態において、図５Ａ及び図５Ｂに示すように、サブスロット長は、ＲＥに複数のＣＢをマッピングするために利用可能である、ＯＦＤＭシンボル数であってもよい。言い換えれば、サブスロット長は、ＰＵＳＣＨを多重可能なＯＦＤＭシンボル数であってもよい。別の例では、サブスロット長は、各サブスロットに全てのＲＥが含まれる、ＯＦＤＭシンボル数として定義されてもよい。
【００３１】
図５Ａ及び図５Ｂの例において、第１サブスロットのサブスロット長Ａは、９ＯＦＤＭシンボルであってもよく、第２サブスロットのサブスロット長Ｂは、３ＯＦＤＭシンボルであってもよい。このとき、サブスロット長Ａとサブスロット長Ｂとの比は、３対１（３：１）である。
【００３２】
図５Ｂにおける第１サブスロット及び第２サブスロットは、図５Ａにおける周波数方向にホッピングされた第１サブスロット及び第２サブスロットのスロット構成を示す。周波数ホッピングを用いるＲＥマッピング方法の説明を簡略化するために、本開示の一以上の実施形態を、図５Ａ等の図を用いて以下で説明する。
【００３３】
別の例として、図６に示すように、サブスロット長は、各サブスロットにおける、ＣＢのマッピングに利用可能であるＲＥ数であってもよい。言い換えれば、サブスロット長は、ＰＵＳＣＨを多重可能なＲＥ数であってもよい。さらに、サブスロット長は、各サブスロットにおける全てのＲＥ数で定義されてもよい。
【００３４】
図６に示す例において、各サブスロットが、周波数軸方向に１２個のサブキャリアを含む場合、第１サブスロットのサブスロット長Ａは、１０８ＲＥであってもよく、第２サブスロットのサブスロット長Ｂは、３６ＲＥであってもよい。このとき、サブスロット長Ａとサブスロット長Ｂとの比は３対１（３：１）である。
【００３５】
（第１の実施例）
本開示の第１の実施例における一以上の実施形態に係る、周波数ホッピングを用いるＲＥマッピング方法において、複数のＣＢは、複数のサブスロット長の比にしたがってマッピングされてもよく、同じＯＦＤＭシンボルにおけるＲＥは、連続してマッピングされてもよい。したがって、本開示の第１の実施例における一以上の実施形態において、ＲＥマッピングの順序は、変更されてもよい。
【００３６】
図７の例において、３つのＣＢ（ＣＢ＃０、＃１及び＃２）が、第１サブスロット及び第２サブスロットの両方におけるＲＥにマッピングされてもよい。図７において、サブスロット長Ａは、サブスロット長Ｂより長い。例えば、第１サブスロットのサブスロット長Ａは、９ＯＦＤＭシンボルであってもよく、第２サブスロットのサブスロット長Ｂは、３ＯＦＤＭシンボルであってもよい。このとき、サブスロット長Ａとサブスロット長Ｂとの比は３対１（３：１）である。
【００３７】
図７に示すように、第１サブスロットにおける各ＣＢがマッピングされるＲＥ数と、第２サブスロットにおける各ＣＢがマッピングされるＲＥ数と、の比が、サブスロット長Ａとサブスロット長Ｂとの比（つまり、３対１）と等しくなるように、ＲＥはマッピングされてもよい。
【００３８】
さらに、各ＣＢは、（サブスロット長）Ａ／Ｂ  ＯＦＤＭシンボルのそれぞれのＲＥにマッピングされ、短いサブスロット長（サブスロット長Ｂ）をもつ第２サブスロットにおけるＲＥにマッピングされる。言い換えれば、ｔ（＝１からＡ＋Ｂ）が時間軸方向のインデックスを表す場合、ＲＥマッピング方法は、以下の手順で示される。
【００３９】
ｔ＝（Ａ＋Ｂ）ｎ／Ｂの場合、短いサブスロット長をもつサブスロットにおけるＲＥにマッピングし、それ以外の場合、長いサブスロット長をもつサブスロットにおけるＲＥにマッピングする。
【００４０】
本開示の第１の実施例における一以上の実施形態によれば、２つのサブスロット長が互いに異なっている場合でも、複数のサブスロットのいずれにおけるＲＥに、全てのＣＢをマッピングしうる。その結果、全てのＣＢに対して、周波数ダイバーシティゲインを達成することができる。
【００４１】
（第２の実施例）
本開示の第２の実施例における一以上の実施形態に係る、周波数ホッピングを用いるＲＥマッピング方法において、複数のＣＢは、複数のサブスロット長の比にしたがってマッピングされてもよく、異なるＣＢは、同じＯＦＤＭシンボルのＲＥにマッピングされてもよい。したがって、本開示の第２の実施例における一以上の実施形態において、マッピング長（マッピングされるＲＥ数）は変更されてもよい。
【００４２】
本開示の第２の実施例における一以上の実施形態において、例えば、４つのＣＢ（ＣＢ＃０、＃１、＃２及び＃３）がある場合を想定する。図８の例において、説明を簡単にするために、ＣＢ＃２及び＃３は省略されている。図８に示す例において、全てのＣＢは、第１サブスロット及び第２サブスロットの両方におけるＲＥにマッピングされてもよい。図８において、サブスロット長Ａは、サブスロット長Ｂより長い。例えば、第１サブスロットのサブスロット長Ａは、９ＯＦＤＭシンボルであってもよく、第２サブスロットのサブスロット長Ｂは、３ＯＦＤＭシンボルであってもよい。このとき、サブスロット長Ａとサブスロット長Ｂとの比は３対１（３：１）である。
【００４３】
図８に示すように、第１サブスロットにおける各ＣＢがマッピングされるＲＥ数と、第２サブスロットにおける各ＣＢがマッピングされるＲＥ数と、の比が、サブスロット長Ａとサブスロット長Ｂとの比（つまり、３対１）と等しくなるように、ＲＥはマッピングされてもよい。
【００４４】
さらに、長いサブスロット長（サブスロット長Ａ）をもつ第１サブスロットにおけるＲＥと、短いサブスロット長（サブスロット長Ｂ）をもつ第２サブスロットにおけるＲＥとは、交互にマッピングされてもよい。長いサブスロット長をもつ第１サブスロットにおいて、ＣＢは、同じＯＦＤＭシンボルにおけるＮ個のサブキャリアに対応するＲＥにマッピングされてもよい。短いサブスロット長をもつ第２サブスロットにおいて、ＣＢは、（Ｂ／Ａ）＊Ｎ個のサブキャリアに対応するＲＥにマッピングされてもよい。したがって、全てのＣＢは、第１サブスロット及び第２サブスロットの両方におけるＲＥにおいて、ほぼ等しくマッピングされうる。
【００４５】
本開示の第２の実施例における一以上の実施形態によれば、全てのＣＢ対して、周波数ダイバーシティゲインを達成することができる。
【００４６】
（第３の実施例）
本開示の第３の実施例における一以上の実施形態に係る、周波数ホッピングを用いるＲＥマッピング方法において、複数のＣＢは、複数のサブスロット長の比にしたがってマッピングされてもよく、異なるＣＢは、同じＯＦＤＭシンボルにおけるＲＥにマッピングされてもよい。したがって、本開示の第２の実施例における一以上の実施形態において、マッピング長（マッピングされたＲＥ数）は変更されてもよい。
【００４７】
本開示の第３の実施例における一以上の実施形態において、例えば、４つのＣＢ（ＣＢ＃０、＃１、＃２及び＃３）がある場合を想定する。図９の例において、説明を簡単にするために、ＣＢ＃２及び＃３は省略されている。図９に示す例において、全てのＣＢは、第１サブスロット及び第２サブスロットの両方におけるＲＥにマッピングされてもよい。図９において、サブスロット長Ａは、サブスロット長Ｂより長い。例えば、第１サブスロットのサブスロット長Ａは、９ＯＦＤＭシンボルであってもよく、第２サブスロットのサブスロット長Ｂは、３ＯＦＤＭシンボルであってもよい。このとき、サブスロット長Ａとサブスロット長Ｂとの比は３対１（３：１）である。
【００４８】
図９に示すように、第１サブスロットにおける各ＣＢがマッピングされるＲＥ数と、第２サブスロットにおける各ＣＢがマッピングされるＲＥ数と、の比が、サブスロット長Ａとサブスロット長Ｂとの比（つまり、３対１）と等しくなるように、ＲＥはマッピングされてもよい。
【００４９】
本開示の第３の実施例における一以上の実施形態において、第１サブスロットにマッピングされうるＲＥの最大数（Ｒ１）と、第２サブスロットにマッピングされうるＲＥの最大数（Ｒ２）とは、予めサブスロット長Ａとサブスロット長Ｂとの比に基づいて算出されてもよい（Ｒ１：Ｒ２＝Ａ：Ｂ）。次いで、長いサブスロット長（サブスロット長Ａ）を有する第１サブスロットのＲＥと、短いサブスロット長（サブスロット長Ｂ）を有する第２サブスロットのＲＥとは、交互にマッピングされてもよい。長いサブスロット長を有する第１サブスロットにおいて、ＣＢは、Ｎ個のサブキャリアに対応するＲＥにマッピングされてもよい。短いサブスロット長を有する第２サブスロットにおいて、ＣＢは、Ｎ個のサブキャリアに対応するＲＥにマッピングされてもよい。一方のサブスロットにおけるＲＥが一方のＯＦＤＭシンボルにマッピングされ、次いで、他方のサブスロットにおけるＲＥがマッピングされる。さらに、マッピングされた各サブスロットのＲＥ数が最大数（Ｒ１又はＲ２）に達した場合、一方のサブスロットにおけるＣＢのためのＲＥマッピングは停止されてもよく、次いで、他方のサブスロットにおけるＣＢのためのＲＥマッピングが実行されてもよい。したがって、全てのＣＢは、第１サブスロット及び第２サブスロットの両方におけるＲＥに対して、ほぼ等しくマッピングされうる。
【００５０】
本開示の第３の実施例における一以上の実施形態によれば、全てのＣＢに対して周波数ダイバーシティゲインを達成することができる。
【００５１】
本開示の他の実施例における一以上の実施形態によれば、周波数ホッピングを用いるＲＥマッピングは、各サブスロットにおける複数のＣＢをマッピングするＲＥの数が（ほぼ）等しくなるように実行されてもよい。
【００５２】
図１０は、本開示の一以上の実施形態に係るＲＥマッピングの動作例のフローチャートを示す。
【００５３】
図１０に示すように、ステップＳ１１−１（Ｓ１１−２）において、ＵＥ１０はトランスポートブロックにＣＲＣを付加する。ステップＳ１２−１（Ｓ１２−２）において、ＵＥ１０は、各ＣＢの長さが、３ＧＰＰ規格によって指定された所定の長さと一致するように、ＣＢ分割及びＣＲＣ付加を実行する。ステップＳ１３−１（Ｓ１３−２）において、ＵＥ１０は、チャネル符号化、レートマッチング、ＨＡＲＱ処理、および、生成されたＣＢのためのスクランブリングを実行する。ステップＳ１４−１（Ｓ１４−２）において、ＵＥ１０は、スクランブリング及び変調マッピングを実行する。
【００５４】
ステップ１５において、ＵＥ１０は、ＣＢのレイヤマッピングを実行する。本開示の一以上の実施形態において、ＵＥ１０は、このステップにおいてどの方法がＲＥマッピングに適用されるかを決定してもよい。例えば、ＵＥは、ｇＮＢからの信号に応じて、上述した方法の１つを選択してもよい。あるいは、ＵＥは静的方式によって上述した方法の１つを適用してもよい。次いで、ＵＥ１０は、Ｓ１６においてプリコーディングを実行してもよく、Ｓ１７−１（Ｓ１７−２）において選択された方法にしたがってＲＥマッピングを実行する。本開示の一以上の実施形態において、ＵＥ１０は、このステップにおいてどの方法がＲＥマッピングに適用されるかを決定してもよい。
【００５５】
（基地局の構成）
以下、図１１を参照して、本開示における一以上の実施形態におけるＢＳ２０について説明する。図１１は、本開示の一以上の実施形態に係るＢＳ２０の概略構成を示す図である。ＢＳ２０は、複数の送受信アンテナ（アンテナエレメントグループ）２０１、アンプ部２０２、送受信部（送信部／受信部）２０３、ベースバンド信号処理部２０４、呼処理部２０５、及び伝送路インターフェース部２０６を含んでもよい。
【００５６】
ＤＬでＢＳ２０からＵＥ２０に送信されるユーザデータは、コアネットワーク３０から伝送路インターフェース部２０６を介してベースバンド信号処理部２０４に入力される。
【００５７】
ベースバンド信号処理部２０４において、信号は、ＰＤＣＰ（Packet  Data  Convergence  Protocol）レイヤの処理、ユーザデータの分割及び結合、ＲＬＣ（Radio  Link  Control）再送制御の送信処理などのＲＬＣレイヤの送信処理、ＭＡＣ（Medium  Access  Control）再送制御、例えばＨＡＲＱの送信処理、スケジューリング、伝送フォーマット選択、チャネル符号化、逆高速フーリエ変換（Inverse  Fast  Fourier  Transform（ＩＦＦＴ））処理、プリコーディング処理が行われて各送受信部２０３に転送される。また、ＤＬ制御チャネルの信号に関しては、チャネル符号化及び逆高速フーリエ変換等の送信処理が行われて、各送受信部２０３に転送される。
【００５８】
ベースバンド信号処理部２０４は、上位レイヤシグナリング（例えば、ＲＲＣシグナリングおよびブロードキャストチャネル）によって、セル内の通信のための制御情報（システム情報）を各ＵＥ１０に通知する。セル内の通信に関する情報には、例えば、ＵＬ又はＤＬのシステム帯域幅が含まれる。
【００５９】
各送受信部２０３において、アンテナごとにプリコーディングされてベースバンド信号処理部２０４から出力されるベースバンド信号は、無線周波数帯域への周波数変換処理を行われる。アンプ部２０２は、周波数変換された無線周波数信号を増幅し、得られた信号は送受信アンテナ２０１から送信される。
【００６０】
ＵＥ１０からＢＳ２０にＵＬで送信されるデータについては、無線周波数信号は各送受信アンテナ２０１において受信され、アンプ部２０２において増幅され、送受信部２０３で周波数変換及びベースバンド信号に変換され、ベースバンド信号処理部２０４へ入力される。
【００６１】
ベースバンド信号処理部２０４は、受信したベースバンド信号に含まれるユーザデータに対して、ＦＦＴ処理、ＩＤＦＴ処理、誤り訂正復号、ＭＡＣ再送制御受信処理、ＲＬＣ層及びＰＤＣＰ層受信処理を行う。次いで、得られた信号は、伝送路インターフェース部２０６を介してコアネットワーク３０に転送される。呼処理部２０５は、通信チャネルの設定や解放などの呼処理を行い、ＢＳ２０の状態を管理し、無線リソースを管理する。
【００６２】
（ユーザ装置の構成）
本開示の一以上の実施形態におけるＵＥ１０を、図１２を参照して以下に説明する。図１２は、本開示の一以上の実施形態に係るＵＥ１０の概略構成である。ＵＥ１０は、複数のＵＥアンテナＳ１０１、アンプ部１０２、送受信部（送信部／受信部）１０３１を含む回路１０３、制御部１０４、およびアプリケーション部１０５を有する。
【００６３】
ＤＬに関しては、ＵＥアンテナＳ１０１で受信された無線周波数信号は、各アンプ部１０２で増幅され、送受信部１０３１でベースバンド信号に周波数変換される。これらのベースバンド信号は、制御部１０４でＦＦＴ処理、誤り訂正復号、再送制御などの受信処理が行われる。ＤＬユーザデータは、アプリケーション部１０５に転送される。アプリケーション部１０５は、物理レイヤおよびＭＡＣレイヤよりも上位のレイヤに関する処理を実行する。下りリンクデータでは、ブロードキャスト情報もアプリケーション部１０５に転送される。
【００６４】
一方、ＵＬユーザデータは、アプリケーション部１０５から制御部１０４に入力される。制御部１０４では、再送制御（ハイブリッドＡＲＱ）送信処理、チャネル符号化、プリコーディング、ＤＦＴ処理、ＩＦＦＴ処理などが行われ、得られた信号が各送受信部１０３１に転送される。送受信部１０３１では、制御部１０４から出力されたベースバンド信号が無線周波数帯域に変換される。その後、周波数変換された無線周波数信号はアンプ部１０２で増幅された後、アンテナ１０１から送信される。
【００６５】
本開示の一以上の実施形態は、上りリンク及び下りリンクのそれぞれに独立して使用されてもよい。本開示の一以上の実施形態は、上りリンク及び下りリンクの両方に共通に使用されてもよい。
【００６６】
本開示は、ＮＲに基づくチャネル及びシグナリング方式の例を主に説明したが、本開示はそれに限定されない。本開示の一以上の実施形態は、ＬＴＥ／ＬＴＥ−Ａと同じ機能を有する別のチャネル及びシグナリング方式、ならびに、新しく定義されたチャネル及びシグナリング方式に適用してもよい。
【００６７】
上記の実施例及び変形例は互いに組み合わせることができ、これらの例の様々な特徴は様々な組み合わせで互いに組み合わせることができる。本開示は、本明細書に開示された特定の組み合わせに限定されない。
【００６８】
本開示は限られた数の実施の形態のみに関して説明されたが、本開示の利益を有する当業者は、本発明の範囲から逸脱することなく他の様々な実施の形態が考案され得ることを認識する。したがって、本発明の範囲は、添付の特許請求の範囲によってのみ制限されるべきである。
【図１Ａ】
2020535763.tif 000003
【図１Ｂ】
2020535763.tif 000004
【図１Ｃ】
2020535763.tif 000005
【図２Ａ】
2020535763.tif 000006
【図２Ｂ】
2020535763.tif 000007
【図３】
2020535763.tif 000008
【図４】
2020535763.tif 000009
【図５Ａ】
2020535763.tif 000010
【図５Ｂ】
2020535763.tif 000011
【図６】
2020535763.tif 000012
【図７】
2020535763.tif 000013
【図８】
2020535763.tif 000014
【図９】
2020535763.tif 000015
【図１０】
2020535763.tif 000016
【図１１】
2020535763.tif 000017
【図１２】
2020535763.tif 000018
【国際調査報告】
2020535763.tif 000019
2020535763.tif 000020